(57)【要約】      （修正有）【課題】右足または左足の第１指骨の骨接合術に関し、新たなミニプレートを提供する。【解決手段】第１指骨の接合用ミニプレートであって、第１に、その両端のうちの一方でプレート１にほぼ垂直な固定位置決めスタッド２と、指骨５の最大近位部４と協働するよう設計された隣接する取り付けねじとを含み、第２に、プレートの圧迫孔７を通って同じ指骨５の遠位部８と協働するよう設計された少なくとももう１つの取り付けねじを含み、ミニプレートがその前額面及び矢状面において解剖学的プロファイルを有する。【選択図】 図４
2004255196.tif 000002
【特許請求の範囲】
【請求項１】
指骨Ｐ１（第１指骨）の骨接合術用に設計されたミニプレートであって、
第１に、その両端のうちの一方で前記プレート（１）にほぼ垂直な固定位置決めスタッド（２）と、前記指骨（５）の最大近位部（４）と協働するよう設計された隣接する取り付けねじとを含み、
第２に、前記プレートの圧迫孔（７）を通って前記同じ指骨（５）の遠位部（８）と協働するよう設計されている少なくとももう１つの取り付けねじを含み、
前記ミニプレートがその前額面及び矢状面において解剖学的プロファイルを有することを特徴とするミニプレート。
【請求項２】
前記解剖学的ミニプレートの前記矢状方向プロファイルがはっきりと湾曲して前記指骨（５）の対応するプロファイルに一致し、同時にその前額面プロファイルが拡張領域（１Ａ）を有しており前記指骨（５）の前記最大近位部（４）にほぼ及んでいることを特徴とする請求項１記載のミニプレート。
【請求項３】
前記指骨（５）の前記最大近位部（４）に位置する前記隣接する取り付けねじを対象とする前記スタッド（２）及び前記孔（３）が、前記指骨（５）のこの拡張領域（４）における利用可能な表面をより有効に使用するために前記指骨の同じ横軸（ｘ、ｘ’）上にほぼ位置することを特徴とする請求項１または２のいずれか記載のミニプレート。
【請求項４】
前記スタッド（２）は、前記スタッド（２）と前記取り付け孔（３）との間の前記解剖学的ミニプレート（１）に形成されたくり抜き部分（９）によって、前記隣接する取り付けねじを対象とした前記孔（３）と隔てられていることを特徴とする請求項３記載のミニプレート。
【請求項５】
前記解剖学的ミニプレートは、前記矢状方向プロファイルに従って金属ブランクを切断し、次に前記前額面プロファイルに従って打ち抜き、約９０°に等しい角度で前記スタッド（２）を折り曲げることによって得られる一体成形部分を形成することを特徴とする請求項１乃至４のうちの１に記載のミニプレート。
【請求項６】
前記解剖学的ミニプレートはステンレス鋼からできていることを特徴とする先行する請求項のうちの１に記載のミニプレート。
【請求項７】
前記解剖学的ミニプレートはチタンからできていることを特徴とする請求項１乃至５のうちの１に記載のミニプレート。
【請求項８】
前記解剖学的ミニプレートの前記前額面遠位部の解剖学的プロファイルは、右足指骨または左足指骨に各々対応することを特徴とする請求項１乃至７のうちの１に記載のミニプレート。
【発明の詳細な説明】
【技術分野】
【０００１】
本発明は、右足または左足の第１指骨の骨接合術用解剖学的ミニプレートに関する。
【０００２】
即ち、主として
・第１指骨Ｐ１の外反母趾補正骨切り術
・Ｐ１の短縮骨切り術
・Ｐ１の短縮及び外反母趾補正骨切り術
に関する。
【背景技術】
【０００３】
変形したり、痛みを引き起こしたり、または感染さえもする指骨に骨切り術を行って、この問題を克服することは公知である。
【０００４】
骨切り術は、変形している場所で指骨Ｐ１を切断し、所定の角度でＶ字型部分を除去して成され、切断した指骨の２つの部分を端と端をつないで変形を補正する。
【０００５】
２つの切断面を圧迫して骨癒合を容易にすることによって指骨の骨接合術を行う方法は公知である。
【０００６】
この圧迫はミニプレートによる公知の方法で成される。ミニプレートはまず第１に、ミニプレートの両端のうちの一方でミニプレートにほぼ垂直な固定位置決めスタッドと、指骨の最大近位部と協働するよう設計されている隣接する取り付けねじとを含み、第２に、ミニプレートの圧迫孔の中を通って同じ指骨の遠位部と協働するよう設計された少なくとももう１つの取り付けねじを含み、切断した指骨の部分を互いに近づけて圧迫し骨接合術を可能にかつ容易にする。
【０００７】
この種の公知のミニプレートにおいては、通常、固定位置決めスタッド、スタッドに隣接する取り付けねじ、及び残りの取り付けねじまたは複数の取り付けねじが、ミニプレートの同じ長手方向軸に沿って配置される。
【０００８】
さらにこの種の公知のミニプレートは、平面要素によって形成されており、平面要素はその解剖学的構造に関して指骨上のスタッドの位置を最適化することができる。
【０００９】
この種の骨は大変小さいので、通常、これにより、生じつつある亀裂、割れ目、その他によって弱められ得る指骨の両端までの距離が縮められる。
【発明の開示】
【００１０】
発明手順の第１のフェーズによれば、指骨の最大近位部で利用可能な領域を最大限に使用する試みが成なされた。そこでスタッド及び隣接する取り付けねじが指骨の両端からできるだけ離れて作動するように適合され、それによってこの領域における利用可能な表面をより有効に使用することが可能になった。
【００１１】
これが本発明において採用された理論であって上記した問題を解決する。
【００１２】
従って、本発明はＰ１（第１指骨）の指骨接合術用に設計されたミニプレートに関する。第１に、プレートの両端のうちの一方でプレートにほぼ垂直な固定位置決めスタッドと指骨の最大近位部と協働するよう設計されている隣接する取り付けねじとを含み、第２に、プレート内の圧縮孔を通って同じ指骨の遠位部と協働するよう設計されている少なくとも１つの取り付けねじを含み、ミニプレートがその前額面及び矢状面において解剖学的プロファイルを有することを特徴とする。
【００１３】
本発明を用いると、その２つの面における解剖学的プロファイルによって、解剖学的ミニプレートが前額面及び矢状面の両方において良い安定性をもって得られる。
【００１４】
本発明は、以下の説明で明らかになる特徴にも関係し、それはいくつかの可能な技術の組み合わせによって、または単独で検討される。
【００１５】
この説明によって例を制限するのではなく、本発明がいかに成されるかについて添付図面を参照して理解を深めるものである。
【発明を実施するための形態】
【００１６】
図において全体が示された解剖学的ミニプレート１は、第１にその両端のうちの一方で解剖学的ミニプレート１にほぼ垂直な固定位置決めスタッド２及びミニプレート１の孔を通る図示されない隣接する取り付けねじ、並びにスタッド２及び指骨５の最大近位部４と協働するよう設計されている孔３を通る取り付けねじを含む。
【００１７】
図示されない２つの他の取り付けねじは、解剖学的ミニプレート１の同じ長手方向軸上に位置する孔６及び圧迫孔７を通り、指骨５の遠位部８と協働して同じ指骨５の近位部４と遠位部８を互いに近づけるようにして圧迫させるよう設計されている。
【００１８】
図から明らかにわかるように、かつ本発明によれば、解剖学的ミニプレート１はその前額面（図１、２、４、５及び６）及び矢状面（図３及び７）の両方において解剖学的プロファイルを有する。
【００１９】
事実、矢状方向プロファイル（図３及び７）ははっきりと湾曲し指骨５の対応するプロファイルに一致する。一方、その前額面プロファイル（図１、２、４、５及び６）は拡張領域１Ａを有して、指骨５の最大近位部４にほぼ及んでいる。
【００２０】
前額面図１、２、４、５及び６ではっきりとわかるように、指骨５の最大近位部分４に位置する隣接する取り付けねじを対象としたスタッド２及び孔３は、指骨５のこの拡張領域４における利用可能な表面をより有効に使用するために指骨の同じ横軸ｘ、ｘ’上にほぼ位置する。
【００２１】
本発明の別の特徴によれば、スタッド２と取り付け孔３との間で解剖学的ミニプレート１に形成されたくり抜き部分９によって、スタッド２は隣接する取り付けねじが通る孔３と隔てられる。
【００２２】
くり抜き部分９は面をカーブさせてまたはスタッドをカーブさせて設計されており、中足骨の解剖学的構造により良く一致し、よってより密な接点を有する。
【００２３】
解剖学的ミニプレート１は一体成形部分を形成することが望ましく、矢状面プロファイルに従って金属ブランクを切断し、次に前額面プロファイルに従って打ち抜き、約９０°に等しい角度でスタッド２を折り曲げることによって得られる。
【００２４】
説明してきた解剖学的ミニプレートは、ステンレス鋼またはチタンからできているかもしれない。
【００２５】
図１乃至７でわかるように、左及び右の解剖学的ミニプレートの前額面遠位部の解剖学的プロファイルは左足指骨または右足指骨にそれぞれ対応する。
【図面の簡単な説明】
【００２６】
【図１】本発明に従って左足指骨用に設計された解剖学的ミニプレートの、固定スタッドが折り曲げられる前の平面図である。
【図２】本発明による解剖学的ミニプレートの、固定スタッドが折り曲げられた後の平面図である。
【図３】図２による解剖学的ミニプレートの側面図である。
【図４】図１乃至３による解剖学的ミニプレートを骨接合術用に指骨の矢状方向側に配置した後の図である。
【図５】右足の指骨上で使用するよう設計された、固定スタッドが折り曲げられる前の平面図に見られる解剖学的ミニプレートを示す。
【図６】右足の指骨上で使用するよう設計された、固定スタッドが折り曲げられた後の平面図に見られる解剖学的ミニプレートを示す。
【図７】右足の指骨上で使用するよう設計された、側面図に見られる解剖学的ミニプレートを示す。
【図１】
2004255196.tif 000003
【図２】
2004255196.tif 000004
【図３】
2004255196.tif 000005
【図４】
2004255196.tif 000006
【図５】
2004255196.tif 000007
【図６】
2004255196.tif 000008
【図７】
2004255196.tif 000009
【外国語明細書】
2004255196.tif 000010
2004255196.tif 000011
2004255196.tif 000012
2004255196.tif 000013
2004255196.tif 000014
2004255196.tif 000015
2004255196.tif 000016
2004255196.tif 000017
2004255196.tif 000018
【図１】
2004255196.tif 000019
【図２】
2004255196.tif 000020
【図３】
2004255196.tif 000021
【図４】
2004255196.tif 000022
【図５】
2004255196.tif 000023
【図６】
2004255196.tif 000024
【図７】
2004255196.tif 000025